(57)【特許請求の範囲】
【請求項１】
試験装置の窓部に撮影器具を装着するカメラ設置治具であって、
前記試験装置は、本体部を有し、当該本体部の中に被試験物が設置される試験室があり、前記窓部を介して試験室内を覗き見ることが可能であり、前記窓部は窓枠部を有していて当該窓枠部が前記本体部に装着され、前記窓枠部の一部または全部が前記本体部の表面から外側に突出した構造の試験装置であり、
カメラ設置治具は、外枠部材と撮影器具保持部材を有し、
前記外枠部材は平行に配された２辺を構成する縦辺部材と、前記縦辺部材を繋ぐ１以上の横辺部材を有し、
前記撮影器具保持部材は、前記辺を構成する縦辺部材と横辺部材のうち少なくとも一辺から張り出された中間辺部材と、中間辺部材に設けられ撮影器具を固定するカメラ固定手段を有し、
前記外枠部材を前記窓枠部の外周部と係合させて窓枠部に固定可能であり、
前記カメラ固定手段の位置を窓部に対して上下方向、左右方向、前後方向の少なくともいずれかに変更可能な位置変更手段を有することを特徴とするカメラ設置治具。
【請求項２】
試験装置の窓部に撮影器具を装着するカメラ設置治具であって、
前記試験装置は、本体部を有し、当該本体部の中に被試験物が設置される試験室があり、前記窓部を介して試験室内を覗き見ることが可能であり、前記窓部は窓枠部を有していて当該窓枠部が前記本体部に装着され、前記窓枠部の一部または全部が前記本体部の表面から外側に突出した構造の試験装置であり、
カメラ設置治具は、窓枠部の左右又は上下の辺と係合する辺係合部材と、当該辺係合部材の少なくとも一つから張り出された中間辺部材と、中間辺部材に設けられ撮影器具を固定するカメラ固定手段を有し、
前記辺係合部材を前記窓枠部の外周部と係合させて窓枠部に固定可能であり、
前記カメラ固定手段の位置を窓部に対して上下方向、左右方向、前後方向の少なくともいずれかに変更可能な位置変更手段を有することを特徴とするカメラ設置治具。
【請求項３】
前記窓枠部の外周部、あるいは前記窓枠部と本体部との間には窓枠部に沿ってのびる溝状の凹みがあり、カメラ設置治具には前記凹みと係合する係合片があることを特徴とする請求項１又は２に記載のカメラ設置治具。
【請求項４】
前記窓枠部の外周部、あるいは窓枠部と本体部との間には窓枠部に沿ってのびる溝状の凹みがあり、カメラ設置治具には、窓枠部の前面側と当接する前面当接部と、窓枠部の側面側と当接する側面当接部と、前記凹みの中に入り込む係合片があることを特徴とする請求項１乃至３のいずれかに記載のカメラ設置治具。
【請求項５】
対向する位置に対となる係合片があり、前記係合片間の距離を変更可能であることを特徴とする請求項１乃至４のいずれかに記載のカメラ設置治具。
【請求項６】
位置変更手段は、相対移動する部材の双方に形成された貫通孔又は不貫通孔と、一時締結要素によって構成され、相対移動する部材の双方に形成された前記孔同士の相対位置を変更し、一時締結要素によって相対移動する部材同士を固定するものであることを特徴とする請求項１乃至５のいずれかに記載のカメラ設置治具。
【請求項７】
窓枠部の左右の縦辺と接する縦辺部材と、カメラ固定手段の位置を窓部に対して上下方向に変更する上下方向位置変更手段を有し、
上下方向位置変更手段は、縦辺部材に設けられた長孔又は複数の孔と、中間辺部材に設けられた貫通孔と、前記縦辺部材側の孔及び中間辺部材側の貫通孔を連通する一時締結要素によって構成されることを特徴とする請求項１乃至６のいずれかに記載のカメラ設置治具。
【請求項８】
カメラ固定手段の位置を窓部に対して左右方向に変更する左右方向位置変更手段を有し、
左右方向位置変更手段は、中間辺部材に設けられ窓部に対して垂直方向成分を有するテーブル部と、テーブル部に設けられた窓部に対して左右方向にのびる長孔又は複数の孔と、撮影器具に装着されるカメラ保持部材に設けられた貫通孔又はネジ孔によって構成されることを特徴とする請求項１乃至７のいずれかに記載のカメラ設置治具。
【請求項９】
カメラ固定手段の位置を窓部に対して前後方向に変更する前後方向位置変更手段を有し、
前後方向位置変更手段は、中間辺部材に設けられ窓部に対して垂直方向成分を有するテーブル支持部材と、テーブル支持部材に支持されるテーブル部と、テーブル支持部材又はテーブル部の少なくともいずれか一方に設けられた長孔又は複数の孔と、テーブル支持部材又はテーブル部の少なくともいずれか一方に設けられた貫通孔と、
前記テーブル支持部材側の孔とテーブル部側の孔を連通する一時締結要素によって構成されることを特徴とする請求項１乃至８のいずれかに記載のカメラ設置治具。
【請求項１０】
撮影器具の背面を覆う覆い部材を有し、当該覆い部材は着脱可能であることを特徴とする請求項１乃至９のいずれかに記載のカメラ設置治具。
【請求項１１】
請求項１乃至１０のいずれかに記載のカメラ設置治具が装着されたことを特徴とする試験装置。
【請求項１２】
チャンバーを有する装置の窓部に撮影器具を装着するカメラ設置治具であって、
前記装置は、前記窓部を介してチャンバー内を覗き見ることが可能であり、前記窓部は窓枠部を有していて当該窓枠部が前記装置に装着され、前記窓枠部の一部又は全部が前記装置の表面から外側に突出した構造の装置であり、
カメラ設置治具は、窓枠部の左右又は上下の辺と係合する辺係合部材と、当該辺係合部材の少なくとも一つから張り出された中間辺部材と、中間辺部材に設けられ撮影器具を固定するカメラ固定手段を有し、
前記辺係合部材を前記窓枠部の外周部と係合させて窓枠部に固定可能であり、
前記カメラ固定手段の位置を窓部に対して上下方向、左右方向、前後方向の少なくともいずれかに変更可能な位置変更手段を有することを特徴とするカメラ設置治具。
【発明の詳細な説明】
【技術分野】
【０００１】
本発明は、環境試験装置等の試験装置等にカメラ等の撮影器具を外付けするカメラ設置治具に関するものである。また本発明は、試験装置に関するものであり、特に環境試験装置の様に試験室を有し、試験室内に高温環境や低温環境等を人工的に作りだす機能を備えた試験装置として好適である。
【背景技術】
【０００２】
製品や素材等の性能や耐久性を試験する装置として、特許文献１の様な環境試験装置が知られている。環境試験装置は、試験対象たる被試験物が載置される試験室を備え、試験室内の温度や湿度を所望の試験環境に調整することができるものである。
【０００３】
環境試験装置の試験室は、略密閉された空間であり、中は見えない。
そこで特許文献１に開示された環境試験装置では、試験室内の様子を外部から覗き見るための窓が設けられている。
特許文献１に開示された環境試験装置によると、試験室内における被試験物の状態を、外部から目視することができる。
【先行技術文献】
【特許文献】
【０００４】
【特許文献１】特開平９−２５３４６４号公報
【発明の概要】
【発明が解決しようとする課題】
【０００５】
近年、ビデオ装置やデジタルカメラ、熱画像カメラ等の撮影器具についての技術革新が著しく、小型のカメラが大量生産されていて安価に入手できる。
また映像を記憶する記憶媒体についても、大容量のものが安価に手に入る。
そのため、環境試験装置の分野においては、試験室内の様子をカメラで撮影して外部でモニターしたり、試験室内の様子を連続的に撮影して記録しておきたいという要求がある。
【０００６】
しかしながら環境試験装置の試験室内は、高温高湿環境であったり、低温環境となる場合があり、これらはカメラにとっては極めて過酷な環境であると言える。
そのため被試験物の様子を撮影することを目的としてカメラを試験室内に設置すると、短期間でカメラが故障してしまう場合がある。
【０００７】
そこで環境試験装置の外にカメラを設置し、環境試験装置の窓から試験室内を撮影する方策が考えられる。
その方策の一つとして、環境試験装置の外に市販のカメラ用三脚を設置し、カメラ用三脚でカメラを中空の高さに固定し、窓から試験室内を撮影する方策が考えられる。また試験室の窓ガラスに、吸盤等でカメラを固定する方策が考えられる。
【０００８】
前者の三脚を利用する方策は、環境試験装置の前面に三脚を設置する広い空間が必要である。そのため環境試験装置の前面に三脚を設置する場所を確保できない場合には、この方策を採用することができない。
また窓の多くは環境試験装置の扉に設けられている。そのため窓の近傍に三脚を設置すると、三脚が邪魔になって扉の開閉が困難となってしまう場合がある。
また三脚を使用すると三脚自体が広い空間を専有してしまう。そのため試験室内を照らす照明を設置する場所の確保に苦慮する場合がある。
【０００９】
さらにカメラ用三脚は、カメラを仮置きする器具であり、床面に固定されるものではないから、物が当たったりすることによってカメラ用三脚が動いてしまう場合がある。一方、環境試験は長時間に渡って行う場合もあるから、カメラを同じ位置に同じ姿勢で置いておく必要がある場合があり、カメラ用三脚はこの要求に応えるためのカメラ固定手段としては不向きである。
加えてカメラ用三脚を使用して試験室内を撮影する場合、撮影対象にカメラのピントを合わせにくい。
【００１０】
吸盤等でカメラを固定する方策は、吸盤が外れてカメラが落下する危険がある。また環境試験装置の窓ガラスは、高温や低温になる場合もあり、吸盤が軟化したり硬化する懸念があり、吸着力を維持することができない場合がある。
【００１１】
また熱処理装置等のチャンバーを有する装置についても窓を有するものがあり、窓を介してチャンバー内の様子をカメラで撮影したいという要求がある。チャンバー内を撮影する場合についても環境試験装置の場合と同様の問題がある。
【００１２】
本発明は、従来技術の上記した問題点に注目し、場所をとらず、且つ確実に撮影器具を試験装置に固定することができるカメラ設置治具を開発することを課題とするものである。
【課題を解決するための手段】
【００１３】
上記した課題を解決するための請求項１に記載の発明は、試験装置の窓部に撮影器具を装着するカメラ設置治具であって、前記試験装置は、本体部を有し、当該本体部の中に被試験物が設置される試験室があり、前記窓部を介して試験室内を覗き見ることが可能であり、前記窓部は窓枠部を有していて当該窓枠部が前記本体部に装着され、前記窓枠部の一部または全部が前記本体部の表面から外側に突出した構造の試験装置であり、カメラ設置治具は、外枠部材と撮影器具保持部材を有し、前記外枠部材は平行に配された２辺を構成する縦辺部材と、前記縦辺部材を繋ぐ１以上の横辺部材を有し、前記撮影器具保持部材は、前記辺を構成する縦辺部材と横辺部材のうち少なくとも一辺から張り出された中間辺部材と、中間辺部材に設けられ撮影器具を固定するカメラ固定手段を有し、前記外枠部材を前記窓枠部の外周部と係合させて窓枠部に固定可能であり、前記カメラ固定手段の位置を窓部に対して上下方向、左右方向、前後方向の少なくともいずれかに変更可能な位置変更手段を有することを特徴とするカメラ設置治具である。
【００１４】
中間辺部材は、双方の縦辺部材から張り出されたものであってもよい。即ち中間辺部材は、双方の縦辺部材に掛け渡されていてもよい。また中間辺部材は、横辺部材から張り出されたものであってもよい。即ち中間辺部材は、一方の横辺部材に支持されていたり、上下双方の横辺部材に掛け渡されていてもよい。
また外枠部が４辺を有する場合は、４辺がそれぞれ別のパーツであってネジ等で結合されていてもよく、複数の辺が結合されたパーツを有していてもよい。即ち４辺が別部材で構成されるものの他、一部の辺が一体的な部材で形成されたものであってもよい。外枠部が３辺を有する場合も同様である。
本発明のカメラ設置治具は、外部から窓部を通じて試験室内を撮影したり、モニターする際に、撮影器具を窓部に固定するものである。本発明のカメラ設置治具は、窓枠部が本体部の表面から外側に突出した構造の試験装置に適用されるものである。
本発明のカメラ設置治具は、外枠部材を有している。そして本発明のカメラ設置治具は、窓枠部の突出部分を利用し、外枠部材を窓枠部の外周部と係合させて窓枠部に固定することができる。
例えば外枠部材の２辺の縦辺部材のうち、少なくとも一辺から中間辺部材が張り出されており、中間辺部材に撮影器具を固定するカメラ固定手段がある。そのためカメラ固定手段は外枠部材の２辺の縦辺部材の間にあり、窓部の透光部分の前に撮影器具を固定することができる。
また外枠部材の１辺又は２辺の横辺部材のうち少なくとも一辺から中間辺部材が張り出されていてもよい。
本発明のカメラ設置治具は、位置変更手段を有しているので、撮影器具の位置を変えることができ、被写体を望みのアングルで撮影することができる。
【００１５】
請求項２に記載の発明は、試験装置の窓部に撮影器具を装着するカメラ設置治具であって、前記試験装置は、本体部を有し、当該本体部の中に被試験物が設置される試験室があり、前記窓部を介して試験室内を覗き見ることが可能であり、前記窓部は窓枠部を有していて当該窓枠部が前記本体部に装着され、前記窓枠部の一部または全部が前記本体部の表面から外側に突出した構造の試験装置であり、カメラ設置治具は、窓枠部の左右又は上下の辺と係合する辺係合部材と、当該辺係合部材の少なくとも一つから張り出された中間辺部材と、中間辺部材に設けられ撮影器具を固定するカメラ固定手段を有し、前記辺係合部材を前記窓枠部の外周部と係合させて窓枠部に固定可能であり、前記カメラ固定手段の位置を窓部に対して上下方向、左右方向、前後方向の少なくともいずれかに変更可能な位置変更手段を有することを特徴とするカメラ設置治具である。
【００１６】
中間辺部材は、上下双方や左右双方の辺係合部材から張り出されていてもよい。即ち中間辺部材は、双方の辺係合部材に掛け渡されていてもよい。
本発明のカメラ設置治具も、外部から窓部を通じて試験室内を撮影したり、モニターする際に、撮影器具を窓部に固定するものである。本発明のカメラ設置治具は、窓枠部の左右の縦辺が本体部の表面から外側に突出した構造の試験装置に適用されるものである。
本発明のカメラ設置治具は、辺係合部材を有している。そして本発明のカメラ設置治具は、窓枠部の突出部分を利用し、辺係合部材を窓枠部の外周部と係合させて窓枠部に固定することができる。
また本発明のカメラ設置治具では、辺係合部材のうちの少なくとも一つから中間辺部材が張り出しており、中間辺部材に撮影器具を固定するカメラ固定手段がある。そのためカメラ固定手段は外枠部材の２辺の縦辺部材の間にあり、窓部の透光部分の前に撮影器具を固定することができる。
また本発明のカメラ設置治具は、位置変更手段を有しているので、撮影器具の位置を変えることができ、被写体を望みのアングルで撮影することができる。
【００１７】
請求項３に記載の発明は、前記窓枠部の外周部、あるいは前記窓枠部と本体部との間には窓枠部に沿ってのびる溝状の凹みがあり、カメラ設置治具には前記凹みと係合する係合片があることを特徴とする請求項１又は２に記載のカメラ設置治具である。
【００１８】
前記係合片は、例えば外枠部材または辺係合部材に設けられる。
本発明のカメラ設置治具は、窓枠部の外周部、あるいは前記窓枠部と本体部との間に窓枠部に沿ってのびる溝状の凹みがある構造の試験装置に取り付けられるものである。
本発明のカメラ設置治具は、窓枠部側の凹みと係合する係合片を有している。そのため窓枠部側の凹みに係合片を係合させることができ、外枠部材や辺係合部材が抜け落ちることを防止できる。
【００１９】
請求項４に記載の発明は、前記窓枠部の外周部、あるいは窓枠部と本体部との間には窓枠部に沿ってのびる溝状の凹みがあり、カメラ設置治具には、窓枠部の前面側と当接する前面当接部と、窓枠部の側面側と当接する側面当接部と、前記凹みの中に入り込む係合片があることを特徴とする請求項１乃至３のいずれかに記載のカメラ設置治具である。
【００２０】
前記した前面当接部、側面当接部、係合片は、例えば外枠部材または辺係合部材に設けられる。
本発明のカメラ設置治具についても、窓枠部の外周部、あるいは前記窓枠部と本体部との間に窓枠部に沿ってのびる溝状の凹みがある構造の試験装置に取り付けられるものである。
本発明のカメラ設置治具で採用するカメラ外枠部材は、縦辺部材や辺係合部材等に窓枠部の前面側と当接する前面当接部と、窓枠部の側面側と当接する側面当接部と、前記凹みの中に入り込む係合片がある。
そのため窓枠部側の凹みに係合片を係合させることができ、外枠部材や辺係合部材が抜け落ちることを防止できる。
また縦辺部材や辺係合部材等は例えば平行に２辺設けられているから、それぞれの側面当接部によって窓枠部全体の側面を保持することができる。
【００２１】
請求項５に記載の発明は、対向する位置に対となる係合片があり、前記係合片間の距離を変更可能であることを特徴とする請求項１乃至４のいずれかに記載のカメラ設置治具である。
【００２２】
本発明のカメラ設置治具では、対向する位置に対となる係合片がある。そのため対となる係合片によって窓枠部全体の側面を挟み込むことができる。
本発明のカメラ設置治具は、対向する位置にある係合片間の距離を変更可能であるから、装着可能な試験装置の種類が多く、汎用性が高い。
【００２３】
請求項６に記載の発明は、位置変更手段は、相対移動する部材の双方に形成された貫通孔又は不貫通孔と、一時締結要素によって構成され、相対移動する部材の双方に形成された前記孔同士の相対位置を変更し、一時締結要素によって相対移動する部材同士を固定するものであることを特徴とする請求項１乃至５のいずれかに記載のカメラ設置治具である。
【００２４】
貫通孔や不貫通孔の形状は限定されるものではなく、丸孔だけでなく、長孔も貫通孔に含まれる。またいわゆるだるま孔であってもよい。
一時締結要素の例としてネジとネジ孔の組み合わせ、ネジ又はボルトとナットの組み合わせ、クリップ、ピン等があげられる。
本発明のカメラ設置治具では、孔同士の相対位置を変更することにより、カメラ固定手段の位置を変更することができる。
【００２５】
請求項７に記載の発明は、窓枠部の左右の縦辺と接する縦辺部材と、カメラ固定手段の位置を窓部に対して上下方向に変更する上下方向位置変更手段を有し、上下方向位置変更手段は、縦辺部材に設けられた長孔又は複数の孔と、中間辺部材に設けられた貫通孔と、前記縦辺部材側の孔及び中間辺部材側の貫通孔を連通する一時締結要素によって構成されることを特徴とする請求項１乃至６のいずれかに記載のカメラ設置治具である。
【００２６】
本発明によると、貫通孔の位置を長孔に沿って移動させたり、複数の孔のいずれかの孔を選択して一時締結要素を締結することにより、カメラ固定手段の位置を窓部に対して上下方向に変更することができる。本発明によると、簡単な構造でカメラ固定手段の位置を窓部に対して上下方向に変更することができる。
【００２７】
請求項８に記載の発明は、カメラ固定手段の位置を窓部に対して左右方向に変更する左右方向位置変更手段を有し、左右方向位置変更手段は、中間辺部材に設けられ窓部に対して垂直方向成分を有するテーブル部と、テーブル部に設けられた窓部に対して左右方向にのびる長孔又は複数の孔と、撮影器具に装着されるカメラ保持部材に設けられた貫通孔又はネジ孔によって構成されることを特徴とする請求項１乃至７のいずれかに記載のカメラ設置治具である。
【００２８】
本発明によると、簡単な構造でカメラ固定手段の位置を窓部に対して左右方向に変更することができる。
【００２９】
請求項９に記載の発明は、カメラ固定手段の位置を窓部に対して前後方向に変更する前後方向位置変更手段を有し、前後方向位置変更手段は、中間辺部材に設けられ窓部に対して垂直方向成分を有するテーブル支持部材と、テーブル支持部材に支持されるテーブル部と、テーブル支持部材又はテーブル部の少なくともいずれか一方に設けられた長孔又は複数の孔と、テーブル支持部材又はテーブル部の少なくともいずれか一方に設けられた貫通孔と、前記テーブル支持部材側の孔とテーブル部側の孔を連通する一時締結要素によって構成されることを特徴とする請求項１乃至８のいずれかに記載のカメラ設置治具である。
【００３０】
本発明によると、簡単な構造でカメラ固定手段の位置を窓部に対して前後方向に変更することができる。
【００３１】
請求項１０に記載の発明は、撮影器具の背面を覆う覆い部材を有し、当該覆い部材は着脱可能であることを特徴とする請求項１乃至９のいずれかに記載のカメラ設置治具である。
【００３２】
本発明によると、設置されるカメラの近傍から窓の透明壁を通過する光が遮断され、窓の表面における反射光や回折光がカメラに入光することが防がれる。
また本発明によると、設置されるカメラの背面にある調度等の影がカメラに写り込み難い。
【００３３】
請求項１１に記載の発明は、請求項１乃至１０のいずれかに記載のカメラ設置治具が装着されたことを特徴とする試験装置である。
【００３４】
本発明の試験装置は、撮影器具を装着することができ、試験室の内部を窓部を通して撮影することができる。
【００３５】
請求項１２に記載の発明は、チャンバーを有する装置の窓部に撮影器具を装着するカメラ設置治具であって、前記装置は、前記窓部を介してチャンバー内を覗き見ることが可能であり、前記窓部は窓枠部を有していて当該窓枠部が前記装置に装着され、前記窓枠部の一部又は全部が前記装置の表面から外側に突出した構造の装置であり、カメラ設置治具は、窓枠部の左右又は上下の辺と係合する辺係合部材と、当該辺係合部材の少なくとも一つから張り出された中間辺部材と、中間辺部材に設けられ撮影器具を固定するカメラ固定手段を有し、前記辺係合部材を前記窓枠部の外周部と係合させて窓枠部に固定可能であり、前記カメラ固定手段の位置を窓部に対して上下方向、左右方向、前後方向の少なくともいずれかに変更可能な位置変更手段を有することを特徴とするカメラ設置治具である。
【００３６】
チャンバーを有する装置には環境試験装置が含まれる。またチャンバーを有する装置の例として、熱処理装置がある。チャンバー内を冷却する装置、加湿する装置、減圧する装置、特殊なガス雰囲気、チャンバー内に放射線や照射する装置、チャンバー内に磁場を発生させる装置もチャンバーを有する装置に含まれる。
本発明によると、窓部の透光部分の前に撮影器具を固定することができる。また本発明のカメラ設置治具は、位置変更手段を有しているので、撮影器具の位置を変えることができ、被写体を望みのアングルで撮影することができる。
【発明の効果】
【００３７】
本発明のカメラ設置治具によると、撮影器具を窓部に固定することができ、場所をとらない。また本発明のカメラ設置治具によると、撮影器具をしっかりと固定することができ、撮影器具が脱落する危険性が少ない。
また本発明の試験装置によると、試験室の内部を撮影することができる。
【図面の簡単な説明】
【００３８】
【図１】本発明の実施形態のカメラ設置治具が取り付けられた環境試験装置の斜視図である。
【図２】図１の環境試験装置の内部構造を概念的に示した説明図である。
【図３】図１の環境試験装置とカメラ設置治具とを分離した状態における斜視図である。
【図４】図１の環境試験装置の本体部分の窓枠の一部の拡大斜視図である。
【図５】本発明の実施形態のカメラ設置治具及び覆い部材の斜視図である。
【図６】図５のカメラ設置治具の分解斜視図と窓枠の斜視図である。
【図７】図５のカメラ設置治具の縦辺部材と中間辺部材の接合部分の拡大斜視図である。
【図８】図５のカメラ設置治具のカメラ固定部材の斜視図である。
【図９】（ａ）はカメラ設置治具を図１の環境試験装置の本体部分の窓枠に取り付けた状態における横断面図であり、（ｂ）はその変形例である。
【図１０】カメラ設置治具を図１の環境試験装置の本体部分の窓枠に取り付けた状態における縦断面図である。
【図１１】（ａ）はカメラ設置治具を窓枠に取り付けた状態における正面図であり、（ｂ）はその平面図である。
【図１２】はカメラ設置治具を窓枠に取り付け、さらに覆い部材を装着した状態における側面図である。
【図１３】図１１の状態からカメラ固定部材を下方に移動させた状態における正面図である。
【図１４】（ａ）は図１１の状態からカメラ固定部材を左方に移動させた状態における正面図であり、（ｂ）はその平面図である。
【図１５】（ａ）は図１１の状態における側面図であり、（ｂ）は図１１の状態からカメラ固定部材を窓枠から離れる方向に移動させた状態における側面図であり、（ｃ）はその平面図である。
【図１６】本発明の他の実施形態のカメラ設置治具及び覆い部材の斜視図である。
【図１７】（ａ）は図１６のカメラ設置治具の正面図であり、（ｂ）はその側面図であり、（ｃ）はカメラ設置治具にさらに覆い部材を装着した状態における側面図である。
【図１８】本発明のさらに他の実施形態のカメラ設置治具の分解斜視図と窓枠の斜視図である。
【図１９】図１８のカメラ設置治具の縦辺係合部材と連結体の結合部分の斜視図である。
【図２０】本発明のさらに他の実施形態のカメラ設置治具における縦辺部材と中間辺部材の接合部分の拡大斜視図である。
【図２１】（ａ）（ｂ）（ｃ）は、本発明のさらに他の実施形態のカメラ設置治具における中間辺部材の平面図であり、破線はカメラ固定部材の位置を示す。
【図２２】（ａ）乃至（ｆ）は、本発明のさらに他の実施形態のカメラ設置治具における外枠部材の部品構成を示す説明図である。
【図２３】本発明のさらに他の実施形態のカメラ設置治具の斜視図である。
【図２４】（ａ）乃至（ｄ）は、本発明のさらに他の実施形態のカメラ設置治具の説明図である。
【発明を実施するための形態】
【００３９】
以下さらに本発明の実施形態について説明する。
本実施形態のカメラ設置治具３０は、環境試験装置１の窓部２１にカメラ７８を装着する器具である。
カメラ設置治具３０の説明に先立って、カメラ設置治具３０が装着される環境試験装置１（図１、図３参照）の概要について説明する。
環境試験装置１は、内部に断熱チャンバーを有し、当該断熱チャンバーが試験室５として機能する（以下、試験室５と称する）。環境試験装置１は、断熱チャンバーたる試験室５内に所望の環境を作ることができる装置である。環境試験装置１の基本構成は、従来技術と大差無いので簡単に説明する。
環境試験装置１の本体部は、図２に示すように断熱壁２によって覆われた断熱槽３を有している。そして当該断熱槽３の一部に試験室５が形成されている。試験室５は、被試験物４を設置する空間である。
環境試験装置１は、さらに空調機器１０と送風機１１を備えている。空調機器１０は、加湿装置６、冷却装置７及び加熱ヒータ８によって構成されている。
環境試験装置１には、試験室５と環状に連通する空調通風路１５があり、当該空調通風路１５に前記した空調機器１０と送風機１１が内蔵されている。
【００４０】
空調通風路１５は、断熱槽３の一部に形成され、空気吹き出し部１６と空気導入部１８の２箇所で試験室５と連通している。
そのため送風機１１を起動すると、試験室５内の空気が空気導入部１８から空調通風路１５内に導入される。そして空調通風路１５が通風状態となり、空調機器１０に空気が接触して熱交換や湿度調整がなされ、空気吹き出し部１６から試験室５内に調整後の空気が吹き出される。
また空調通風路１５の空気吹き出し部１６の近傍に、温度センサー１２と湿度センサー１３が設けられている。
環境試験装置１を使用する際には、送風機１１を運転して空調通風路１５内を通風状態とし、温度センサー１２及び湿度センサー１３の検出値が、設定環境の温度及び湿度に近づく様に空調機器１０を制御する。
【００４１】
環境試験装置１の試験室５には開閉扉２０が設けられている。そして開閉扉２０には、窓部２１が設けられている。
窓部２１は、ガラス２２が装着された窓枠２３が、環境試験装置１の本体部（本実施形態では開閉扉２０）に取り付けられたものである。
【００４２】
本実施形態では、窓枠２３は正面視が長方形である。本実施形態では、窓枠２３の正面側が環境試験装置１の本体部（開閉扉２０）の表面から突出している。
また窓枠２３の突出部分の外周部には、図４，９，１０の様に溝状の凹部２５（以下
単に溝２５と称する）が形成されている。溝２５は、窓枠２３の側面にあって窓枠２３に沿ってのびている凹みである。
窓枠２３の突出部分の厚さＷは、５ｍｍ乃至１０ｍｍ程度であり、溝２５の幅ｗは、２乃至５ｍｍ程度である。
溝２５は、窓枠２３の全周を環状に取り巻いているが、本実施形態では、窓枠２３の下に化粧板２６があるので、窓枠２３の下辺の溝２５は化粧板２６で隠れて見えない。
従って本実施形態では、窓枠２３の上辺２７と、左右の縦辺２８ａ，ｂが環境試験装置１の本体部（開閉扉２０）から突出して見えている。そして上辺２７と、左右の縦辺２８ａ，ｂに設けられた溝２５が外部に露出している。
【００４３】
カメラ設置治具３０は、図５の様に外枠部材３１と撮影器具保持部材３２によって構成されている。また付属品として覆い部材３３を有している。
外枠部材３１は図５に示すような長方形の枠であり、左右２辺を構成する２本の縦辺部材３５ａ，ｂと、上下の水平２辺を構成する２本の横辺部材３６，４６によって構成されている。
外枠部材３１は、２本の縦辺部材３５ａ，ｂが一定の間隔を開けて平行に配され、その両端が２本の横辺部材３６，４６で繋がれたものである。横辺部材３６，４６も一定の間隔を開けて平行に配されているから、外枠部材３１の枠内は空間状である。本実施形態では、縦辺部材３５ａ，ｂには係合片に相当する部位がある。また本実施形態では、縦辺部材３５ａ，ｂが辺係合部材の要件も具備している。
【００４４】
外枠部材３１を構成する縦辺部材３５ａ，ｂの断面形状は、図７，９の様に略「コ」の字状である。即ち縦辺部材３５ａ，ｂは、金属板を折り曲げて作られたものであり、図７，９の様に、窓枠２３の前面側と当接することとなる前面当接部３７と、窓枠２３の縦辺２８ａ，ｂの側面側と当接することとなる側面当接部３８と、溝２５の凹みの中に入り込むこととなる係合片面（係合片）４０がある。
また縦辺部材３５ａ，ｂの前面当接部３７には、長孔４１が設けられている。長孔４１は縦辺部材３５ａ，ｂの長手方向にのびる貫通孔である。
縦辺部材３５ａ，ｂの側面当接部３８であって縦辺部材３５ａ，ｂの両端近傍にはネジ挿通孔４３が設けられている。ネジ挿通孔４３は貫通孔であり、形状は円形である。
【００４５】
２本の横辺部材３６，４６の内、上辺を構成する横辺部材３６は、図１０に示す様に窓枠２３の前面側と当接することとなる前面当接部４７と、窓枠２３の上辺２７の上面側と当接することとなる上面当接部４８を有し、断面形状は「Ｌ」字状である。
また横辺部材３６の長手方向の両端は、図６の様に前面当接部４７が折り返されていて端部処理部５０が形成されている。端部処理部５０にはネジ孔５１が設けられている。なおネジ孔５１は貫通孔に雌ネジが形成されたものであってもよく、不貫通の孔（正確には穴）に雌ネジが形成されたものであってもよい。以下のネジ孔についても同様である。
横辺部材３６の前面当接部４７の表面には、覆い固定部材４２が接着されている。覆い固定部材４２は面ファスナーである。
【００４６】
他方たる下辺を構成する横辺部材４６は、平板状である。図６の様に横辺部材４６の両端は折り返されていて端部処理部５２が形成されている。端部処理部５２にはネジ孔５３が設けられている。
【００４７】
外枠部材３１は、２本の縦辺部材３５ａ，ｂ間に２本の横辺部材３６，４６が配され、両者がネジ８０，８１で締結されたものである。
より具体的には、縦辺部材３５ａ，ｂの凹部内に、上部側の横辺部材３６の端部処理部５０が嵌め込まれ、縦辺部材３５ａ，ｂの側面当接部３８に設けられたネジ挿通孔４３と横辺部材３６のネジ孔５１にネジ８０が挿通されている。
また縦辺部材３５ａ，ｂの凹部内に、下部側の横辺部材４６の端部処理部５２が嵌め込まれ、縦辺部材３５ａ，ｂの側面当接部３８に設けられたネジ挿通孔４３と横辺部材４６のネジ孔５３にネジ８１が挿通されている。
【００４８】
次に撮影器具保持部材３２について説明する。撮影器具保持部材３２は、図５，６の様に中間辺部材５５とカメラ固定具５６によって構成されている。
また中間辺部材５５は、図７の様にテーブル支持部材５７とテーブル部材５８によって構成されている。
テーブル支持部材５７は、図７の様にテーブル部材５８を支持する受け金具であり、一枚の帯板を「Ｌ」字状に折り曲げたものである。
テーブル支持部材５７は、図７の様に取り付けられた姿勢を基準として垂直面部６０と水平面部６１があり、両者は直交する平面を構成している。
垂直面部６０にはネジ挿通孔６２が設けられている。ネジ挿通孔６２は貫通孔である。ネジ挿通孔６２の形状はいわゆるダルマ孔であり、大径部と小径部が繋がった形をしている。
水平面部６１にはネジ孔６３が形成されている。
【００４９】
テーブル部材５８は、長方形であって平板状の板である。ただし辺部は、折り曲げられていてもよい。
テーブル部材５８の中央部には長手方向にのびる２条の長孔６５ａ，ｂが設けられている。
またテーブル部材５８の長手方向の両端には、幅方向（短方向）にのびる長孔６６が設けられている。
中間辺部材５５は、テーブル支持部材５７の水平面部６１にテーブル部材５８が載置され、テーブル部材５８の長孔６６とテーブル支持部材５７のネジ孔６３にネジ６７が挿通され、ネジ６７が締結されてテーブル支持部材５７とテーブル部材５８が結合されたものである。
テーブル部材５８は前記した様にテーブル支持部材５７の水平面部６１で支持されるから、縦辺部材３５ａ，ｂに対して垂直姿勢となり、カメラ設置治具３０が窓部２１に取り付けられると、テーブル部材５８は水平姿勢となる。
【００５０】
カメラ固定具５６は、図８の様に固定用座板７０と、カメラ取り付け具７１を有し、両者がフレキシブル接続部材６８で接続されたものである。
固定用座板７０は、ネジ孔７２が３個形成された平板である。
フレキシブル接続部材６８は、固定棒７３ａと移動棒７３ｂと、両者を接続する球面継ぎ手７６を備えた部材であり、移動棒７３ｂを固定棒７３ａに対して任意の角度で傾けることができる。
【００５１】
カメラ固定具５６は、図１１の様に、テーブル部材５８の下に垂下する様に固定される。
カメラ固定具５６は、テーブル部材５８の２条の長孔６５ａ，ｂと、固定用座板７０のネジ孔７２にネジ８２が挿通され、ネジ８２を締結することによってテーブル部材５８に取り付けられている。
【００５２】
次にカメラ設置治具３０を構成する各部材の位置関係及び窓枠２３の係合関係について説明する。
本実施形態のカメラ設置治具３０は、長方形の外枠部材３１に撮影器具保持部材３２が取り付けられたものである。より具体的には撮影器具保持部材３２のテーブル支持部材５７のネジ挿通孔６２と、外枠部材３１の縦辺部材３５ａ，ｂの長孔４１にネジ７５が挿通され、図示しないナットとの間にネジ７５が締結されて撮影器具保持部材３２と外枠部材３１が結合されたものである。
【００５３】
またカメラ設置治具３０が環境試験装置１の窓部２１に装着された状態においては、外枠部材３１の正面を構成する部位が窓枠２３の正面部分と接し、外枠部材３１の側面を構成する部位が窓枠２３の側面部分と接し、縦辺部材３５ａ，ｂの係合片面４０が窓枠２３の溝２５の凹みに入り込んでいる。
外枠部材３１の縦辺部材３５ａ，ｂに注目すると、図９（ａ）の様に前面当接面（当接部）３７が窓枠２３の前面側と当接している。また側面当接面（当接部）３８が窓枠２３の縦辺２８ａ，ｂの側面側と当接している。さらに縦辺部材３５ａ，ｂの係合片面４０が溝２５の凹みの中に入り込んで係合している。
外枠部材３１の上部側の横辺部材３６に注目すると、図１０に示す様に、前面当接部４７が窓枠２３の前面側と当接し、上面当接部４８が窓枠２３の上辺２７の上面側（上側面側）と当接している。
外枠部材３１の下部側の横辺部材４６に注目すると、平板状の部位が窓枠２３の前面側と当接している。
【００５４】
カメラ設置治具３０は、外枠部材３１の縦辺部材３５ａ，ｂと横辺部材３６で窓枠２３の三方辺のそれぞれ側面と表面を囲んでいる。そのためカメラ設置治具３０は窓枠２３に対して左右方向の動きが外枠部材３１の縦辺部材３５ａ，ｂで規制される。また窓部２１に近づく方向の動きが外枠部材３１の縦辺部材３５ａ，ｂと横辺部材３６，４６で規制され、窓枠２３に対して下方向の動きが外枠部材３１の上部側の横辺部材３６で規制される。さらに窓枠２３から離れる方向の動きが、係合片面４０と溝２５の凹みの係合によって規制される。
その結果、カメラ設置治具３０は窓枠２３から脱落することなく固定される。
【００５５】
次にカメラ設置治具３０の窓部２１に対する取り付け手順について説明する。
本実施形態では、図６の様に、外枠部材３１を縦辺部材３５ａ，ｂと横辺部材３６，４６に分解する。そして縦辺部材３５ａ，ｂの係合片面４０を溝２５の凹みに挿入した状態で、縦辺部材３５ａ，ｂに横辺部材３６，４６をネジ止めする。そしてその後に、縦辺部材３５ａ，ｂに撮影器具保持部材３２を取り付ける。
【００５６】
本実施形態では、図５に示すようにカメラ設置治具３０の付属品として覆い部材３３を有している。覆い部材３３は、黒い布であり、一辺側に固定部材８３が取り付けられている。固定部材８３は面ファスナーである。
【００５７】
次に、本実施形態のカメラ設置治具３０の機能について説明する。
本実施形態のカメラ設置治具３０は、前記した様に窓部２１に固定される。そして撮影器具保持部材３２のカメラ取り付け具７１に図１２の様にカメラ７８が取り付けられる。カメラ７８は、窓部２１の近くに固定されることとなり、試験室５の内部を撮影することができる。
また図１２の様に、カメラ設置治具３０に覆い部材３３を装着することにより、背景の写り込みを防ぐことができる。
なお覆い部材３３は、覆い部材３３の固定部材８３をカメラ設置治具３０側の覆い固定部材４２と接合することによって行われる。
本実施形態では、図１２の様に、カメラ固定具５６がテーブル部材５８の下に固定されているから、テーブル部材５８がひさしのごとくに機能し、覆い部材３３がカメラ７８に当たることが防がれる。なおカメラ固定具５６をテーブル部材５８の下に付けるか上に付けるかは任意であり、カメラ固定具５６をテーブル部材５８の上に固定してもよい。
【００５８】
また本実施形態のカメラ設置治具３０は、カメラ取り付け具７１の位置を上下方向、左右方向、前後方向に動かすことができる。
本実施形態では、縦辺部材３５ａ，ｂの長孔４１と、テーブル支持部材５７に設けられたネジ挿通孔６２と、ネジ７５によって上下方向位置変更手段が構成されている。
そしてカメラ取り付け具７１の位置を上下方向に動かす場合には、テーブル支持部材５７と外枠部材３１の間に挿通されたネジ７５を緩め、テーブル部材５８を縦辺部材３５ａ，ｂの長孔４１に沿って上下移動させる。そしてテーブル支持部材５７のネジ挿通孔６２と、縦辺部材３５ａ，ｂの位置関係を変え、再度ネジ７５を締めてテーブル部材５８を固定する。その結果、図１３の様に、カメラ取り付け具７１の位置が上下方向に移動する。
【００５９】
また本実施形態では、テーブル部材５８と、テーブル部材５８に設けられた２条の長孔６５ａ，ｂと、カメラ固定具５６のネジ孔７２及びネジ８２によって左右方向位置変更手段が構成されている。
カメラ取り付け具７１の位置を左右方向に動かす場合には、テーブル部材５８の２条の長孔６５ａ，ｂと、カメラ固定具５６のネジ孔７２に挿通されたネジ８２を緩め、カメラ取り付け具７１を長孔６５ａ，ｂに沿って左右に移動させる。２条の長孔６５ａ，ｂと、ネジ孔７２の位置関係を変え、再度ネジ８２を締めてカメラ取り付け具７１を固定する。その結果、図１４の様にカメラ取り付け具７１の位置が左右方向に移動する。
【００６０】
また本実施形態では、テーブル部材５８と、テーブル部材５８を支持するテーブル支持部材５７と、テーブル部材５８の長孔６６と、テーブル支持部材５７のネジ孔６３と、ネジ６７によって前後方向位置変更手段が構成されている。
カメラ取り付け具７１の位置を前後方向に動かす場合には、テーブル部材５８の長孔６６とテーブル支持部材５７のネジ孔６３に挿通されたネジ６７を緩め、テーブル部材５８を長孔６６の長手方向に移動させる。そしてテーブル支持部材５７のネジ孔６３と、テーブル部材５８の長孔６６の位置関係を変え、再度ネジ６７を締めてテーブル部材５８を固定する。その結果、図１５の様に、カメラ取り付け具７１の位置が前後方向に移動する。
【００６１】
次に本発明の他の実施形態について説明する。なお以下に示す実施形態の構成であって、先の実施形態と共通するものには同一の番号を付して重複した説明を省略する。
前記した実施形態の外枠部材３１は、左右２辺を構成する２本の縦辺部材３５ａ，ｂと、上下２辺を構成する２本の横辺部材３６，４６を個別に板金加工によって成形し、これらをネジで結合したものである。本発明は、各部材の加工方法や素材を限定するものではなく、各部材を樹脂等の他の部材で成形してもよい。
さらに本発明は上記した構造に限定されるものではなく、樹脂等によって外枠部材１０１を成形し、部品点数を少なくすることもできる。
【００６２】
図１６に示すカメラ設置治具１００は、樹脂で成形された外枠部材１０１を有している。外枠部材１０１の断面形状は、「コ」の字状であり、上辺１０２と左右の縦辺１０３ａ，ｂがあり、下辺はない。なお図１６に示す外枠部材１０１は、樹脂製に限定されるものではなく、他の素材を使用していてもよい。
上辺１０２及び左右２辺を構成する縦辺１０３ａ，ｂの断面形状は、先の実施形態と同様であり、窓枠２３の前面側と当接することとなる前面当接部と、窓枠２３の縦辺２８ａ，ｂの側面側と当接することとなる側面当接部と、溝２５の凹みの中に入り込むこととなる係合片面がある（図示せず）。
【００６３】
図１６に示すカメラ設置治具１００では、外枠部材１０１の左右の縦辺１０３ａ，ｂの開放端側に突起１０５がある。
図１６に示すカメラ設置治具１００を窓枠２３に装着する際には、窓枠２３の上端から、窓枠２３の両脇に左右の縦辺１０３ａ，ｂを差し込んでゆく。即ち図示しない係合片面を窓枠２３の溝２５に入れ、その状態で、外枠部材１０１を下方にスライド移動させてカメラ設置治具１００を差し込んでゆく。
そして外枠部材１０１の上辺１０２を窓枠２３の上辺２７に当接させる。
その後、外枠部材１０１の左右の縦辺１０３ａ，ｂの開放端側の突起１０５に、ゴムバンド等の弾性を有する結束部材１１０を掛け渡し、左右の縦辺１０３ａ，ｂを窓枠２３の左右の縦辺２８ａ，ｂに押しつける。
なお結束部材１１０は、弾性を有する素材であることが望ましいが、紐材、針金、ワイヤー等の弾性を有しないものを採用し、これらで左右の縦辺１０３ａ，ｂを引き寄せてもよい。また結束部材１１０は、掛け金の様なものであってもよい。
要するに結束部材１１０は、左右の縦辺１０３ａ，ｂが開かないように連結できる部材であればよい。
【００６４】
カメラ設置治具１００の撮影器具保持部材３２は、先の実施形態で採用したものと同じである。
ただし本実施形態のカメラ設置治具１００では、図１７の様に、カメラ固定具５６は、テーブル部材５８の上に固定されている。なおカメラ固定具５６をテーブル部材５８の上に付けるか下に付けるかは任意であり、カメラ固定具５６をテーブル部材５８の下に固定してもよい。
また本実施形態のカメラ設置治具１００に付属する覆い部材１１５は、樹脂によって成形されたものであり、箱状である。なお覆い部材１１５は、樹脂製に限定されるものではなく、他の素材を使用していてもよい。
覆い部材１１５には、図１６の様に小扉１１６が設けられており、小扉１１６を開いて窓部２１から試験室５内を覗くことができるようにしてもよい。
覆い部材１１５には、図示しない係合部があり、図１７（ｃ）の様にカメラ設置治具１００に装着される。
【００６５】
次に本発明のさらに他の実施形態について説明する。
前記した各カメラ設置治具３０，１００は、いずれも枠状の部材を有しているのに対し、第３実施形態のカメラ設置治具２００は、図１８の様に窓枠２３の縦辺２８ａ，ｂと接触する部材の長さを長くして、テーブル部材５８の姿勢を保持している。
第３実施形態のカメラ設置治具２００は、窓枠２３の左右の縦辺２８ａ，ｂと係合する縦辺係合部材（辺係合部材）２０２ａ，ｂを有し、縦辺係合部材２０２ａ，ｂ同士を中間辺部材２０１で繋いでいる。
中間辺部材２０１は、連結体２０５と、テーブル支持部材５７及びテーブル部材５８によって構成されている。テーブル支持部材５７及びテーブル部材５８は、前記した実施形態で採用したものと同じものである。
【００６６】
縦辺係合部材２０２ａ，ｂは、連結体２０５の端部に一部が装着されるものであり、図１８，１９の様に、スライド部２０３と係合爪部２１１を有している。スライド部２０３は、直方体形状であり、内部は中空である。スライド部２０３の外周面は連結体２０５に挿入される側の内側面を除いて壁面で覆われている。
スライド部２０３の露出側の端面にネジ挿通孔２０６が形成されている。
係合爪部２１１は、スライド部２０３の端部から突出するものであり、図１９の様に、窓枠２３の前面側と当接することとなる前面当接部２０７と、窓枠２３の縦辺２８ａ，ｂの側面側と当接することとなる側面当接部２０８と、溝２５の凹みの中に入り込むこととなる係合片２１０がある。
【００６７】
連結体２０５は、断面形状が長方形の筒である。連結体２０５の内部には固定壁２１２があり、固定壁２１２にはネジ孔が形成されている。
第３実施形態のカメラ設置治具２００では、縦辺係合部材２０２ａ，ｂのスライド部２０３が、連結体２０５に摺動可能に挿入されている。そして縦辺係合部材２０２ａ，ｂのネジ挿通孔２０６と連結体２０５内に形成されたネジ孔に長尺のネジ２２０が挿通されている。なおネジ２２０は、大径の頭部２２１を有しており、道具を使うことなく、手で直接頭部２２１を回すことができる。
ネジ２２０を回すことにより、縦辺係合部材２０２ａ，ｂのスライド部２０３の一部が連結体２０５内で移動し、縦辺係合部材２０２ａ，ｂ同士の間隔が変わる。
【００６８】
本実施形態のカメラ設置治具２００を窓枠２３に取り付ける場合、ネジ２２０を緩めて縦辺係合部材２０２ａ，ｂ同士の間隔を広げ、窓枠２３の縦辺２８ａ，ｂに縦辺係合部材２０２ａ，ｂの係合爪部２１１をはめ込む。
そしてネジ２２０を締めて縦辺係合部材２０２ａ，ｂ同士を近づけ、係合爪部２１１を窓枠２３の縦辺２８ａ，ｂにはめ込み、一対の係合片２１０を溝２５に係合させる。
本実施形態のカメラ設置治具２００でも、カメラ取り付け具７１の位置を上下方向、左右方向、前後方向に動かすことができる。
【００６９】
カメラ取り付け具７１の位置を上下方向に動かす場合には、ネジ２２０を緩めて縦辺係合部材２０２ａ，ｂ同士の間隔を広げ、窓枠２３の溝２５に沿って中間辺部材２０１を上下移動させる。そして中間辺部材２０１の位置を変え、再度ネジ２２０を締めて中間辺部材２０１を固定する。その結果、カメラ取り付け具７１の位置が上下方向に移動する。
左右方向、前後方向に動かす際の操作は、前記した実施形態と同一である。
【００７０】
図１８に示す第３実施形態のカメラ設置治具２００では、左右の縦辺係合部材２０２ａ，ｂにスライド部２０３があり、左右のスライド部２０３が連結体２０５内で移動し、縦辺係合部材２０２ａ，ｂ同士の間隔が変わるが、いずれか一方だけが連結体２０５内で移動するものであってもよい。即ち左右の縦辺係合部材２０２ａ，ｂの一方が、連結体２０５に溶接等で接合されており、他方の縦辺係合部材２０２ａ，ｂにスライド部２０３があり、連結体２０５内で移動するものであってもよい。
図１８に示す第３実施形態のカメラ設置治具２００は、窓枠２３が本体部から突出さえしていれば取り付け可能であり、必ずしも窓枠２３に溝２５がある必要はない。
【００７１】
以上説明した実施形態では、長孔と丸孔の相対位置を変えることによってカメラ取り付け具７１の位置を上下、左右及び前後に変更することができることとしたが、長孔同士の組み合わせであってもよい。即ち相対移動する部材に共に長孔を形成し、長孔同士の合わせ位置を変化させてカメラ取り付け具７１の位置を上下、左右及び前後に変更してもよい。
また図２０に示すように、相対移動する部材の少なくとも一方に多数の丸孔を設け、他方の部材と合致させる丸孔を変えることによってカメラ取り付け具７１の位置を上下、左右及び前後に変更してもよい。
【００７２】
さらに図２１（ａ）（ｂ）の様に、テーブル部材５８に長孔２１０，２１１を多数設け、破線で示す様に、カメラ固定具５６を前後・左右に移動させてもよい。
また図２１（ｃ）の様に、テーブル部材５８に多数、孔２１２を設け、カメラ固定具５６の取り付け孔を選択することによって、破線で示す様に、カメラ固定具５６を前後・左右に移動させてもよい。
さらに長孔や孔に代わってレールを有するものであってもよい。
【００７３】
以上説明した実施形態では、中間辺部材５５はいずれも両端が縦辺部材３５ａ，ｂや縦辺係合部材２０２ａ，ｂに支持されている。即ち中間辺部材５５は両端支持状態で固定され、両端の縦辺部材３５ａ，ｂ等から張り出された構造となっている。
しかしながら本発明はこの構成に限定されるものではなく、図２３に示すカメラ設置治具２３０の様に、中間辺部材５５が一方の縦辺部材３５ｂにのみ固定され、中間辺部材５５が一方の縦辺部材３５ｂから張り出された構造であってもよい。
【００７４】
以上説明した実施形態では、外枠部材３１の枠組みは、図２２（ａ）のモデル図の様に、直線状の２本の長辺部材３００ａ，ｂと直線状の２本の短辺部材３０１ａ，ｂを組み合わせたものである。
本発明はこの枠組み構造に限定されるものではなく、図２２（ｂ）のモデル図の様に
、上辺の一部と縦辺を構成する２本のＬ状部材３０２ａ，ｂと、下辺を構成する直線状の短辺部材３０３を組み合わせたものであってもよい。
図２２（ｂ）の枠組構造は、外枠部材３１を３部材に分けた例である。
さらに図２２（ｃ）の枠組構造の様に、外枠部材３１を上下の２部材３０５ａ，ｂに分けてもよい。勿論、図２２（ｄ）の枠組構造の様に、外枠部材３１を左右の２部材３０６ａ，ｂに分けてもよい。
さらに図２２（ｅ）の枠組構造の様に、２本のＬ状部材３０７ａ，ｂを組み合わせて外枠部材３１を構成してもよい。
また図２２（ｆ）の枠組構造の様に、左右が不均等のコ状部材３０８ａ，ｂを組み合わせて外枠部材３を構成してもよい。
【００７５】
以上説明した実施形態では、カメラ設置治具を取り付ける対象として、窓枠２３そのものに溝２５を有するものを例示したが、窓枠２３と試験装置の本体部（例えば開閉扉２０）の間に溝があるものであってもよい。即ち窓枠２３の本体部側の外周がやや小さく作られていて段状となっており、窓枠２３の試験装置の本体部（例えば開閉扉２０）側部分が凹んでいるものであってもよい。
また溝２５に代わって、突起や窪みを有するものであってもよい。
また溝２５を持たない窓枠に対してカメラ設置治具を取り付けることもできる。この場合は、例えば縦辺部材３５ａ，ｂや縦辺係合部材２０２ａ，ｂに爪の様な鋭利な部分を設け、窓枠の側面に爪状の部位を押し当てることによってカメラ設置治具を窓枠に固定するものであってもよい。
【００７６】
以上説明した実施形態では、カメラ設置治具３０に覆い部材３３を取り付けるための構成として、面ファスナーを採用した。しかしながら本発明はこの構成に限定されるものではなく、例えば、磁石、ホック、ボタンとボタンホールの組み合わせ等、公知の取り付け構造を採用することができる。
覆い部材３３を取り付けるための構成として、磁石を採用する場合、カメラ設置治具３０を鉄板で作製すれば、覆い側のみ磁石を設ければ足りる。
また覆い部材３３に覗き孔や小扉等を設けてもよい。
【００７７】
本発明は、温度や湿度を調整する機能を備えた環境試験装置に限定されるものではなく、他の試験装置にも適用可能である。さらに熱処理装置等に本発明のカメラ取り付け治具３０，１００，２００，２３０を装着してもよい。
【００７８】
以上説明した実施形態では、中間辺部材５５，２０１はいずれも水平方向（横方向）にはり渡されたり片持ち支持されたものであるが、中間辺部材５５，２０１を縦姿勢に配置してもよい。
即ち、前記した各実施形態の縦辺を横辺に置き換えた構成であってもよい。
【００７９】
図２４（ａ）は、図５に示すカメラ設置治具３０の変形例であり、外枠部材３１の縦辺と横辺を入れ替えたものである。
図２４（ａ）に示すカメラ設置治具９０では、外枠部材９５は、縦辺部材９１ａ，ｂと、横辺部材９２ａ，ｂを有している。そして上下の横辺部材９２ａ，ｂの間に、中間辺部材５５が掛け渡されている。カメラ設置治具９０では、横辺部材９２ａ，ｂに長孔４１が設けられている。
図２４（ｂ）（ｃ）は、図２３に示すカメラ設置治具２３０の変形例である。図２４（ｂ）は、中間辺部材５５が上方の横辺部材９２ａにのみ固定され、中間辺部材５５が一方の横辺部材９２ａから垂下されている。図２４（ｃ）は、中間辺部材５５が下方の横辺部材９２ｂにのみ固定された例である。
【００８０】
図２４（ｄ）は、図１８に示す第３実施形態のカメラ設置治具２００の変形例である。図２４（ｄ）に示すカメラ設置治具９６では、窓枠２３の上下の横辺９７ａ，ｂと接触する横辺係合部材（辺係合部材）９８ａ，ｂを有し、横辺係合部材（辺係合部材）９８ａ，ｂ同士を中間辺部材２０１で繋いでいる。
【００８１】
溝２５は、連続した凹みでなくてもよい。
以上説明した実施形態では、前記溝２５は、図９（ａ）の様に窓枠２３自体に形成されているが、図９（ｂ）の様に窓枠２３と試験装置の本体部（例えば開閉扉２０）の間に溝２５があるものにも適用可能である。この態様では、図９（ｂ）の様に、窓枠２３と開閉扉２０の間に形成される凹部に係合片面（係合片）４０が係合する。
【符号の説明】
【００８２】
１  環境試験装置
５  試験室（断熱チャンバー）
２１  窓部
２３  窓枠
２５  溝
３０  カメラ設置治具
３１  外枠部材
３２  撮影器具保持部材
３３  覆い部材
３５ａ，ｂ  縦辺部材
３６，４６  横辺部材
３７  前面当接部
３８  側面当接部
４０  係合片面（係合片）
４１  長孔
４７  前面当接部
４８  上面当接部
５５  中間辺部材
５６  カメラ固定具
５７  テーブル支持部材
５８  テーブル部材
６２  ネジ挿通孔
６３  ネジ孔
６５ａ，ｂ  長孔
６６  長孔
６７  ネジ
７２  ネジ孔
７５  ネジ
７８  カメラ
８２  ネジ
９８ａ，ｂ  横辺係合部材（辺係合部材）
１００  カメラ設置治具
１０１  外枠部材
１０３ａ，ｂ  左右の縦辺
１１５  覆い部材
２００  カメラ設置治具
２０１  中間辺部材
２０２ａ，ｂ  縦辺係合部材（辺係合部材）
２０７  前面当接部
２０８  側面当接部
２１０  係合片
２３０  カメラ設置治具
【図１】
0006654086.tif 000002
【図２】
0006654086.tif 000003
【図３】
0006654086.tif 000004
【図４】
0006654086.tif 000005
【図５】
0006654086.tif 000006
【図６】
0006654086.tif 000007
【図７】
0006654086.tif 000008
【図８】
0006654086.tif 000009
【図９】
0006654086.tif 000010
【図１０】
0006654086.tif 000011
【図１１】
0006654086.tif 000012
【図１２】
0006654086.tif 000013
【図１３】
0006654086.tif 000014
【図１４】
0006654086.tif 000015
【図１５】
0006654086.tif 000016
【図１６】
0006654086.tif 000017
【図１７】
0006654086.tif 000018
【図１８】
0006654086.tif 000019
【図１９】
0006654086.tif 000020
【図２０】
0006654086.tif 000021
【図２１】
0006654086.tif 000022
【図２２】
0006654086.tif 000023
【図２３】
0006654086.tif 000024
【図２４】
0006654086.tif 000025